(57)【要約】【課題】    従来の水切り用容器保持具は、側壁に設置するものであり、また容器の口の下に水切り用容器保持具がくるため保持具に水がかかり、カビが生えるなどして衛生的に良くなかった。【解決手段】  容器の底の部分を保持できる保持部と、この保持部を天井に接着するための接着部とからなる構造にした。これにより、従来使用されていなかった台所などの天井スペースを利用することができるようになる。また水切り用容器保持具にほとんど水がかからないので衛生的にも優れている。【特許請求の範囲】
【請求項１】
ペットボトル、紙パックおよび空き缶のなどの容器の水切りに用いられる天上設置型水切り用容器保持具であって、容器の底の部分を保持するために適当な間隔で本体基盤の表側に備え付けられた複数の突起部と本発明の容器保持具を天井に接着するために本体の裏側に備え付けられた接着部とからなる。
【請求項２】
前記の突起部の構造が弾力性のある柱状の突起部本体と、この先端に弾力性のある球状の接触保持部を備え付けたことを特徴とする請求項１の天井設置型容器保持具。
【請求項３】
前記突起部の構造が柱状の突起部本体とその側面にバネを備え、このバネの多端に保持部用接触板を備え付けたことを特徴とする請求項１の天井設置型容器保持具。
【請求項４】
前記突起部の根元が雄ネジになっており、また本体基盤に多数の雌ネジを設けたことを特徴とする請求項１、請求項２、請求項３の天井設置型容器保持具。
【発明の詳細な説明】
【技術分野】
【０００１】  本発明は、天井に設置することのできる水切り用容器保持具に関する。
【背景技術】
【０００２】  従来、ペットボトルや、空き缶、空き容器などの水きり具には側壁に設置するものなどがあった（特許文献１参照、特許文献２参照）【０００３】  以下、図９、図１０により従来の水切り具について説明する。この水切り用容器保持具１５、１６は、壁面にその裏面側が接着固定される固着部１７，２０と、この固着部１７，２０の表面側に備えられるフック形状の容器ホルダー１６または円形の保持部１９と一体成形してなり、容器ホルダー１６にペットボトルや紙パックなどの容器の口を差し込むことにより、または円形の保持部１９に空き缶の口を下にした状態で置くことにより洗浄後の容器の水切りを可能としている。
【特許文献１】  特許出願２０００−２４８３３７
【特許文献２】  実用新案出願２００１−３８７３
【発明の開示】
【発明が解決しようとする課題】
【０００４】これは次のような欠点があった。
側壁にしか設置ができなかった。が台所などの側壁のスペースは一般的に他の台所用品（鍋やお玉など）が掛けられており水切り用容器保持具を設置するスペースがほとんどないなどの理由で不便であった。また、容器の口を水切り具に差し込む構造であるため、水切り具が水に濡れやすく、水切り具にカビが生えるなどして衛生的に良くなかった。【０００５】本発明はこのような、このような課題を解決するためになされたものである。天井に設置することができ、容器の底を保持し、様々な容器の口を下にした状態で容器を保持、水切りをすることが可能である天井に設置可能な水切り用容器保持具を提供する。
【課題を解決するための手段】
【０００６】前記目的を達成するため、本発明はペットボトル、紙パックおよび空き缶などの容器の水切りに用いることができる、天井に設置可能な水切り用容器保持具であって、容器の底の部分を保持するために本体基盤の表側に適当な間隔で設置された保持部用突起部とこれを天井に設置するための接着部を本体基盤の裏側に備えていることを特徴とする。【０００７】接着部には吸盤、両面粘着テープまたは磁石などを用いる。または本体基盤にビス穴などを設けて天井にビスで固定できるような構造とする。【０００８】保持部用突起部は柱状の突起部本体とその先端に球状の接触保持部を設けた構造をとる。素材には弾力性のあるものを用い、本体基盤に適当な間隔をあけて設置する。保持しようとする容器の底の部分をこの保持部用突起部の間に差し込んだときに弾力性のある保持部用突起部が少し押し広げられる、そして保持部用突起部の反発力によって容器の底の部分を挟持し保持できるようにする。【０００９】保持部用突起部の他の構造として、柱状の突起部本体の側面にバネなどを設置しこのバネの他端に接触保持部板を備え付けたものを提供する。この保持部用突起部も本体基盤に適当な間隔をあけて設置し、保持したい容器をこの保持部用突起部の間に挿入したときにバネの反発力によって容器の底の部分を保持できるようにする。【００１０】また、上記保持部用突起部の根元の部分を雄ネジとし、本体基盤にこの保持部突起部の雄ネジが入る雌ネジ穴を多数あけておく。これにより、使用者の目的に合わせて保持部用突起部の間隔を自由に決めることができるようにする。
【発明の効果】
【００１１】本発明を利用することにより台所の天井という従来使用されていなかったスペースを有効利用することができる。また水切り用容器保持具にほとんど水がかかないので、従来の容器の口を差し込むタイプの水切り具に比べて衛生的である。また、保持部用突起部の配置を自由に換えることのできる構造とすることで様々な大きさの容器の保持具として使用することができる。また上記のような構造であるため、片手で簡単に水切りを行いたい容器の着脱が可能となる
【発明の実施するための最良の形態】
以下、本発明の水切り用容器保持具の実施の形態について説明する。本発明の水切り用容器保持具は、ペットボトル、紙パックおよびアルミ缶などの様々な容器の水切りに用いられるもので、図１、図２は実施形態を示す斜視図、図３、図４は実施形態を示す側断面図である。
【００１２】本発明の容器保持具は容器の底の部分を保持するために本体基盤１に適当な間隔で設置された容器保持部用突起部２と本体基盤の裏側の接着部５とからなる。
【００１３】上記の容器保持具において保持部用突起部は弾力性のある素材でできており、左右に押し広げられたときに元に戻ろうとする力が働く。この構造においてペットボトルなどの容器を保持しようとするときには容器の底の部分を保持部用突起部の間に、保持部用突起部を少し押し開けるようにして挿入する。すると容器の底の部分は保持部用突起部の弾力性によって挟持され保持される。
【００１４】また、図５に示すように保持部用突起部の根元の部分を雄ネジ７とし、本体基盤１に多数の雌ネジ穴を適当な間隔であけておく。このような構造とすることで、保持したい物の大きさに合わせて、保持部用突起部の間隔を決定することができる。
【００１５】保持部用突起部であるが、この突起部と突起部との間に容器の底の部分を挿入したときに容器の底の部分を挟持できるような構造であればどのような形態でも良い。
【００１６】保持部用突起部の一例について説明する。柱状の突起部本体とその先端部が球形であることを特徴とする。この突起部の材料としては合成ゴムや合成樹脂など滑りにくく多少弾力性のあるものを用いる。この先端が球形である保持部用突起部２を使用した例を図１、図２に示す。
【００１７】保持部用突起部の他の一例であるバネを用いた構造について図６を用いて説明する。これは柱状の突起部本体９の側面にバネ１０を備え付け、そのバネ１０の他端に接触保持部板８を備え付けたことを特徴とする。またこのバネを用いた保持部用突起部１１を用いた本発明の天井設置型容器保持具の実施例を図７に示す。
【００１８】本発明の天井設置型容器保持具は図８に示すような形態も含まれる。図８に示す容器保持具は容器１つを保持することができる。保持したい容器の底の部分より少し狭い間隔で備え付けた突起部１４が２本、本体１３に備え付けられている。この本体の裏側には天井に固着するための接着部が備え付けられている。これを使用するときは台所の水場の天井に本発明の天井設置型容器保持具を接着する。そして、ペットボトルなどを洗浄後ペットボトルの口の部分辺りをもち、容器の底の部分を２本の突起部の間に、突起部を少し押し広げるようにして挿入する。すると突起部の弾力性、反発力によって容器の底の部分が挟持され容器が保持される。
【００１９】さらに本発明の天井設置型水切り用容器保持具には、保持部用突起部の間隔を狭くすることで、タッパーの蓋などの薄いものの水切りに利用できるものも含まれる。
【００２０】接着部には吸盤、両面粘着テープまたは磁石などを用いる。または本体基盤にビス穴などを設けて天井にビスで固定できるような構造とする。
【図面の簡単な説明】
【図１】  本発明の実施形態を表す斜視図。
【図２】  本発明の請求項２の実施例を表す斜視図。
【図３】  本発明の請求項２の実施例を表す側断面図。
【図４】  本発明の請求項２の実施例を表す側断面図。
【図５】  本発明の請求項４の実施例を示す側断面図。
【図６】  本発明の請求項５の実施例を示す側断面図。
【図７】  本発明の請求項５の実施例を示す側断面図。
【図８】  本発明の請求項１の１実施例を示す斜視図。
【図９】  従来の水切り具の斜視図。
【図１０】  従来の水切り具の斜視図。
【符号の説明】
１    本体基盤
２    保持部用突起部
３    ペットボトル
４    空き缶
５    接着部
６    雌ネジ穴付本体基盤
７    雄ネジ付保持部用突起部
８    可動保持部板
９    柱上突起部本体
１０  バネ
１１  バネを用いた保持部用突起部
１２  天井設置型水切り用容器保持具
１３  本体
１４  保持部用突起部
１５  従来の水切り用容器保持具
１６  ホルダー
１７  固着部
１８  従来の水切り用容器保持具
１９  ホルダー
２０  固着部
【図１】
2005312877.tif 000002
【図２】
2005312877.tif 000003
【図３】
2005312877.tif 000004
【図４】
2005312877.tif 000005
【図５】
2005312877.tif 000006
【図６】
2005312877.tif 000007
【図７】
2005312877.tif 000008
【図８】
2005312877.tif 000009
【図９】
2005312877.tif 000010
【図１０】
2005312877.tif 000011